(57)【要約】【課題】つなぎ合わせの作業負担を軽減できる画像処理装置を提供する。【解決手段】所定の記録媒体上での形成可能範囲よりも大きい範囲に形成されるべき画像を、隣接した領域と一部が重なり合う、複数の領域に分割する。当該分割して得られた各領域に属する部分画像情報を生成し、生成された各部分画像情報の表す各画像のうち、隣接する領域に含まれる画像によって隠蔽されるべき部分の画像を、所定の規則に従って変更する画像処理装置である。【選択図】図１
2008288807.tif 000002
【特許請求の範囲】
【請求項１】
所定の記録媒体上での形成可能範囲よりも大きい範囲に形成されるべき画像を、隣接した領域と一部が重なり合う、複数の領域に分割する領域分割手段と、
前記分割して得られた各領域に属する部分画像情報を生成する部分画像情報生成手段と、
前記生成された各部分画像情報の表す各画像のうち、隣接する領域に含まれる画像によって隠蔽されるべき部分の画像を、所定の規則に従って変更する画像変更手段と、
前記部分画像情報の各々に基づく画像形成処理を行う画像形成手段と、
を含むことを特徴とする画像処理装置。
【請求項２】
前記部分画像情報の画像形成処理順序を決定する順序決定手段を含み、
前記画像変更手段は、前記画像形成処理順序に基づき、前記生成された各部分画像情報の表す各画像のうち、隣接する領域に含まれる画像によって隠蔽されるべき部分を識別し、当該識別した部分の画像を、前記所定の規則に従って変更することを特徴とする請求項１記載の画像処理装置。
【請求項３】
前記順序決定手段は、互いに隣接し、共通する画像部分を含む複数の部分画像情報について、それぞれ当該共通する画像部分のうち、他の部分画像情報につながる側の有意画素の数を算出し、当該それぞれ算出した有意画素の数に基づいて、前記複数の部分画像情報の画像形成処理順序を定めることを特徴とする請求項２記載の画像処理装置。
【請求項４】
コンピュータを、
所定の記録媒体上での形成可能範囲よりも大きい範囲に形成されるべき画像を、隣接した領域と一部が重なり合う、複数の領域に分割する領域分割手段と、
前記分割して得られた各領域に属する部分画像情報を生成する部分画像情報生成手段と、
前記生成された各部分画像情報の表す各画像のうち、隣接する領域に含まれる画像によって隠蔽されるべき部分の画像を、所定の規則に従って変更する画像変更手段と、
前記部分画像情報の各々に基づく画像形成処理を行う画像形成手段と、
として動作させることを特徴とするプログラム。
【発明の詳細な説明】
【技術分野】
【０００１】
本発明は、画像処理装置及びプログラムに関する。
【背景技術】
【０００２】
通常、オフィスのプリンタなどの画像形成装置で利用される用紙は、高々Ａ４ないしＢ４程度のカットシートであるが、画像によっては、こうした用紙に収まりきらない画像もある。例えば電子回路図面などでは、そもそもＡ１サイズの用紙に形成することを前提に生成されたものも多い。
【０００３】
こうした形成用に用意された媒体のサイズを超える画像を、当該用意された媒体を用いて形成するにあたって、従来より、複数枚の媒体に分割して形成する技術がある（特許文献１）。
【特許文献１】特開平２−２９６４６２号公報
【発明の開示】
【発明が解決しようとする課題】
【０００４】
原画像を分割して複数枚の媒体に、各分割した画像を形成すると、複数の媒体を配列してつなぎ合わせ、原画像を再現しようとするときに、各媒体の境界において、対応する部分を見つけ出し、当該対応する部分でつなぎ合わせなければならない。
【０００５】
本発明は上記実情に鑑みて為されたもので、本発明を実施しない場合に比べ、当該つなぎ合わせの作業負担を軽減できる画像処理装置及びプログラムを提供することを、その目的の一つとする。
【課題を解決するための手段】
【０００６】
請求項１記載の発明は、画像処理装置であって、所定の記録媒体上での形成可能範囲よりも大きい範囲に形成されるべき画像を、隣接した領域と一部が重なり合う、複数の領域に分割する領域分割手段と、前記分割して得られた各領域に属する部分画像情報を生成する部分画像情報生成手段と、前記生成された各部分画像情報の表す各画像のうち、隣接する領域に含まれる画像によって隠蔽されるべき部分の画像を、所定の規則に従って変更する画像変更手段と、前記部分画像情報の各々に基づく画像形成処理を行う画像形成手段と、を含むこととしたものである。
【０００７】
請求項２記載の発明は、請求項１記載の画像処理装置であって、前記部分画像情報の画像形成処理順序を決定する順序決定手段を含み、前記画像変更手段は、前記画像形成処理順序に基づき、前記生成された各部分画像情報の表す各画像のうち、隣接する領域に含まれる画像によって隠蔽されるべき部分を識別し、当該識別した部分の画像を、前記所定の規則に従って変更することとしたものである。
【０００８】
請求項３記載の発明は、請求項２記載の画像処理装置であって、前記順序決定手段は、互いに隣接し、共通する画像部分を含む複数の部分画像情報について、それぞれ当該共通する画像部分のうち、他の部分画像情報につながる側の有意画素の数を算出し、当該それぞれ算出した有意画素の数に基づいて、前記複数の部分画像情報の画像形成処理順序を定めることとしたものである。
【０００９】
請求項４記載の発明は、プログラムであって、コンピュータを、所定の記録媒体上での形成可能範囲よりも大きい範囲に形成されるべき画像を、隣接した領域と一部が重なり合う、複数の領域に分割する領域分割手段と、前記分割して得られた各領域に属する部分画像情報を生成する部分画像情報生成手段と、前記生成された各部分画像情報の表す各画像のうち、隣接する領域に含まれる画像によって隠蔽されるべき部分の画像を、所定の規則に従って変更する画像変更手段と、前記部分画像情報の各々に基づく画像形成処理を行う画像形成手段と、として動作させることとしたものである。
【発明の効果】
【００１０】
請求項１，４記載の発明によると、分割して形成される画像のつなぎ合わせの作業負担を、本発明を実施しない場合に比べて軽減できる。
【００１１】
請求項２記載の発明によると、画像の重ね合わせ順序が明確になる。
【００１２】
請求項３記載の発明によると、境界で一致させるべき画素数に基づいて形成の順序を定められる。
【発明を実施するための最良の形態】
【００１３】
本発明の実施の形態について図面を参照しながら説明する。本発明の実施の形態に係る画像処理装置１は、例えば図１に示すように、制御部１１と、記憶部１２と、インタフェース部１３とを含むプリンタサーバとして構成され、プリンタなどの画像形成装置２に接続されている。この画像形成装置２は、例えばＡ４サイズのカットシートなどの記録媒体に対して画像を形成する。
【００１４】
制御部１１は、ＣＰＵなどのプログラム制御デバイスであり、記憶部１２に格納されているプログラムに従って動作している。本実施の形態では、この制御部１１は、形成の対象となる画像情報の入力を受け入れる。そして制御部１１は、当該画像情報を、互いに重なり合う部分を含む複数の領域ごとに分割する。制御部１１は、分割によって得た部分画像情報の少なくとも一部について、他の部分画像情報と重なり合う部分の画像の内容を変更する。この変更は、例えば画素値を所定値で除して、薄い色とするなどの処理がある。なお、線画である場合は、グレイトーンの線としてもよいし、線種を変更する処理としても構わない。この制御部１１の詳しい処理の内容については、後に説明する。
【００１５】
記憶部１２は、例えばＲＡＭ（Random Access Memory）などの記憶素子を含む。この記憶部１２には、制御部１１によって実行されるプログラムが格納されている。また、この記憶部１２は、制御部１１のワークメモリとしても動作する。ここで、制御部１１の実行するプログラムは、外部のコンピュータ可読な記憶媒体（ＤＶＤ−ＲＯＭなど）に格納されて提供され、当該記憶媒体から複写されたものであってもよい。
【００１６】
インタフェース部１３は、例えばネットワークインタフェースやＵＳＢ（Universal
Serial Bus）などであり、ネットワークなどの通信回線やバスを介して情報を送受する。また本実施の形態においては、このインタフェース部１３に画像形成装置２が接続される。画像形成装置２は、このインタフェース部１３を介して制御部１１から入力される形成の指示に従い、用紙などの媒体上に画像を形成する。
【００１７】
次に、本実施の形態の制御部１１の動作について説明する。この制御部１１は、機能的には、図２に示すように、画像情報受入部２１と、領域分割部２２と、部分画像情報生成部２３と、画像変更処理部２４と、形成指示生成部２５とを含んで構成される。本実施の形態では、これらの処理がプログラムとしてソフトウエア的に実現される。
【００１８】
画像情報受入部２１は、形成の対象となる画像情報を受け入れる。この画像情報は、画像形成装置２において利用される記録媒体の形成可能範囲よりも大きい範囲に描画される画像を表す。すなわち、画像形成装置２において利用される記録媒体は、例えばＡ４サイズなどのカットシートであり、当該カットシートの形状によって、画像の形成が可能な範囲が画定される。本実施の形態の画像情報受入部２１は、描画すると、この記録媒体からはみ出すこととなる画像情報を受け入れて、当該受け入れた画像情報を記憶部１２に格納する。
【００１９】
領域分割部２２は、記憶部１２に格納された画像情報を、画像形成装置２において利用される記録媒体の形成可能範囲と同じ形状・サイズの複数の領域に分割する。このとき、各領域がそれぞれ隣接した領域と、その一部が重なり合うように配列する。例えばこの複数の領域は、図３に示すように、２×３に配列した６つの領域Ａ，Ｂ，Ｃ，Ｄ，Ｅ，Ｆである。図３において領域Ａには、隣接するＢ，Ｃ，Ｄとの間で共通する部分（以下、共通形成部分と呼ぶ）が存在する（図３（ｂ）から（ｄ）に領域Ｂ，Ｃ，Ｄのそれぞれとの共通形成部分を示す）。領域分割部２２は、各領域の境界線の座標情報を出力する。この領域分割部２２の動作については後に詳しく述べる。
【００２０】
部分画像情報生成部２３は、領域分割部２２から入力される、各領域の境界線の座標情報の入力を受けて、形成対象として記憶部１２に格納された画像情報を、この境界線で区切られる複数のブロックに分割する。そして、分割により得られたブロックに含まれる画像を部分画像として抽出する。例えば図３に例示したように６つの領域を画成する場合、画像情報は、それぞれＡからＦの一部（他と共通しない部分）であるα，β，γ，δ，ε，ζ、及び共通形成部分であるＩ、ＩＩ、…ＩＸの合計１５のブロックに分割される。なお、図３では説明の都合上、各領域やブロックの境界線が重ならないよう図示しているが、これらの各線は現実には一致している。
【００２１】
部分画像情報生成部２３は、記憶部１２に格納された画像情報から、これらのブロック内の部分的な画像情報をそれぞれ抽出し、ブロックごとの部分画像情報を生成する。そして当該生成したブロックごとの部分画像情報を記憶部１２に格納する。
【００２２】
画像変更処理部２４は、部分画像情報生成部２３が生成したブロックごとの部分画像情報のうち、共通形成部分にあたるブロックの部分画像情報を所定の規則に従って変更した画像を新たに生成し、変更後の部分画像情報を、変更前の部分画像情報とともに記憶部１２に格納する。以下では、変更後の部分画像情報と変更前の部分画像情報とを区別するため、変更後の部分画像情報を調整部分画像情報と呼ぶ。
【００２３】
ここで画像の変更は、例えば彩度や明度の変更であってもよいし、細線化処理、エッジ抽出処理などであってもよい。例えば形成対象の画像情報が回路図など白黒の線画である場合は、共通形成部分の部分画像情報について明度を高くしてグレイに変更してもよいし、エッジ抽出を行って、線分を白抜き線に変更してもよい。
【００２４】
形成指示生成部２５は、各領域に対応する部分的な画像の形成順序を決定する。例えば、この順序は、予め定められた順序に従って、例えば左上の領域から開始して左から右へ順番に形成し、右端に至ると、ひとつ下の一番左からまた右へ順番に形成することとしてもよい。また、この形成指示生成部２５は、生成した部分画像情報に基づいて、各領域に対応する画像の形成順序を定めてもよい。この形成順序の決定方法については後に述べる。
【００２５】
形成指示生成部２５は、また、記憶部１２に格納されている、ブロックごとの部分画像情報や調整部分画像情報を組み合わせて合成して、領域ごとの部分画像情報を生成する。このとき、共通形成部分に対応する部分画像情報はいずれかの領域の部分画像情報を生成する際に１度だけ用い、他の領域の部分画像情報を生成する際には、対応する調整部分画像情報を用いる。
【００２６】
一例として、図３に示した例において、領域Ａの部分画像情報は、ブロックα、Ｉ，ＩＩ，ＩＶを配列して合成することで得られる。そこで、領域Ａの部分画像情報を、ブロックα、Ｉ，ＩＩ，ＩＶを配列して合成したとする。この場合領域Ｂの部分画像情報については、ブロックβ、ＩＩＩとともに、ブロックＩ，ＩＶの部分画像情報を変更して得た調整部分画像情報Ｉ′，ＩＶ′を用いて生成する。これにより、領域Ａの部分画像情報は、入力された画像情報のうち、領域Ａに対応する部分を抽出した画像そのものとなる。また領域Ｂの部分画像情報は、入力された画像情報のうち、領域Ｂに対応する部分を抽出し、さらにブロックＩ，ＩＶの部分の彩度や明度などを変更した画像となる。
【００２７】
なお、形成指示生成部２５は、先に決定した形成順序に応じ、形成順に重ね合わせたときに、他の領域の画像によって共通形成部分が隠蔽されるときに、当該共通形成部分について、上述の画像の変更処理を行うこととしてもよい。
【００２８】
制御部１１は、生成した各領域ごとの部分画像情報を、決定した形成順に画像形成装置２へ送出して、当該領域の数に対応する枚数の記録媒体にそれぞれ形成させる。
【００２９】
従って本実施の形態によると、複数枚の記録媒体のそれぞれに、形成対象の画像情報の一部がそれぞれ形成される。そしてこれら複数の記録媒体を配列すれば、元の画像情報が表す画像が全体として再現できるようになっている。もっとも本実施の形態では、各記録媒体に、それぞれ隣接する記録媒体上の画像の一部と共通する画像部分（重なり合わせて配列するべき部分、以下共通形成部分と呼ぶ）が形成されており、当該共通形成部分が他の記録媒体によって隠蔽されるべき場合は、当該部分が例えばグレイになっているなど、画像に変更が施されている。そこで利用者は、当該変更された共通形成部分と、それに対応する共通形成部分とを一致させるように重ね合わせて各記録媒体を配列することとなる。このとき利用者は、変更されていない共通形成部分の画像を含む記録媒体によって、変更されている、対応する共通形成部分の画像を覆い隠すような順序で配列する。
【００３０】
ここで領域分割部２２の動作について述べる。本実施の形態では図４に示すように、共通形成部分の幅（重なり合う量）と、複数の分割パターンとを含む情報が、共通部分設定情報として記憶部１２に格納されている。ここで分割パターンは記録媒体の配列態様を表す情報であり、例えば１×２、２×２、３×２…というように、記録媒体の配列方法を示すものである。
【００３１】
領域分割部２２は、画像形成装置２が利用する記録媒体のサイズＭｗ（幅），Ｍｈ（高さ）を取得する。また、形成対象の画像情報のサイズＩｗ，Ｉｈを取得する。
【００３２】
領域分割部２２は、記憶部１２に格納されている分割パターンを、用いる記録媒体の枚数の少ない順に、順次読み出す。そして読み出した分割パターンと、共通形成部分の幅の情報Ｄとを用いて、当該読み出した分割パターンに形成可能な画像のサイズを算出する。
【００３３】
すなわち、Ｒ×Ｃの分割パターンにおいては、形成可能な画像のサイズの幅と高さＷ，Ｈは、
Ｗ＝Ｍｗ×Ｃ−（Ｃ−１）×Ｄ
Ｈ＝Ｍｈ×Ｒ−（Ｒ−１）×Ｄ
で与えられる。
【００３４】
そして、読み出した分割パターンにおいて形成可能な画像のサイズＷ，Ｈと、形成対象の画像情報のサイズＩｗ，Ｉｈとを比較し、
Ｉｗ＜Ｗ  かつ、Ｉｈ＜Ｈ
であれば、当該分割パターンを選択し、当該選択した分割パターンで形成対象の画像情報を分割することとする。
【００３５】
また、
Ｉｗ＜Ｗ  かつ、Ｉｈ＜Ｈ
でなければ、次の分割パターンを読み出して、形成可能な画像のサイズを算出する処理から繰り返す。
【００３６】
また領域分割部２２は、選択した分割パターンに配列される記録媒体上で、どの範囲に形成対象の画像情報を形成するかを定める。この設定には、例えば、図５に示すように、（ａ）中央、（ｂ）左上、（ｃ）右下などがある。またここで（ａ）中央に配置する場合、共通形成部分の幅を大きくすることで、記録媒体一杯に画像を形成させ、余白を生じさせない設定を可能としてもよい（ｄ）。
【００３７】
このような配置及び、共通形成部分の幅を大きくするか否かについては、利用者が予め設定しておいてもよい。なお、共通形成部分の幅を大きくする場合、記録媒体の幅方向と、記録媒体の高さ方向との、それぞれ共通形成部分の幅は互いに異なっていてもよい。
【００３８】
すなわち、予め設定された共通形成部分の幅ＤからそれぞれΔｈ, Δｗだけ変化させる場合、
Ｄ＋Δｈ＝（Ｍｈ×Ｒ−Ｉｈ）／（Ｒ−１）（Ｒ≠１）
Ｄ＋Δｗ＝（Ｍｗ×Ｃ−Ｉｗ）／（Ｃ−１）（Ｃ≠１）
となる。
【００３９】
領域分割部２２は、形成の対象となった画像情報上で各領域の境界線の座標情報を生成して出力する。
【００４０】
なお、この領域分割部２２は、領域の境界線に隣接する有意画素の数を参照し、境界線に隣接する有意画素数が所定数以上であれば、その旨を警告する表示などを図示しないディスプレイに対して行ってもよい。また、この場合、警告とともに、または警告に代えて、共通形成部分の幅を小さく、または大きくして、領域の境界線に隣接する有意画素の数を参照し、境界線に隣接する有意画素数が所定数以上とならないよう、領域を画定しなおしてもよい。
【００４１】
さらに形成指示生成部２５が、生成した部分画像情報に基づいて、各領域に対応する画像の形成順序を定める処理について説明する。
【００４２】
この処理を行う場合、形成指示生成部２５は、各ブロックの部分画像情報のうち、他のブロックに隣接する各辺上の有意画素数（画像形成時に色材を使う画素の数）をカウントする。すなわち、図３に示した例においてブロックαについては、ブロックＩ及びブロックＩＩに隣接するので、まずブロックＩに隣接する辺上の有意画素数ＮαＩをカウントし、当該カウントの結果を、ブロックαのブロックＩに隣接する辺であることを表す情報に関連づけて記憶部１２に格納する。次いで、ブロックＩＩに隣接する辺についても同様に行う。形成指示生成部２５は、この処理を各ブロックについて行う。
【００４３】
次に、形成指示生成部２５は、例えば、共通形成部分に相当する各ブロックの各辺について、各ブロックでカウントした値と、隣接する他のブロックにおいてカウントした対応する辺のカウント値との差および和を算出する。例えばブロックＩにおいてブロックαに隣接する辺でカウントした値ＮＩαと、ブロックαにおいてブロックＩに隣接する辺でカウントした値ＮαＩとの差の絶対値Ｃ（Ｉ，α）＝｜ＮＩα−ＮαＩ｜、およびＮＩαとＮαＩとの和Ｄ（Ｉ，α）＝ＮＩα＋ＮαＩを特徴量情報として算出する。なお、この例の場合は、領域の分割が画素間（互いに隣接する２つの画素の間）で行われているものとする。形成指示生成部２５は、共通形成部分に相当する各ブロックＸの各辺について算出した特徴量情報Ｃ（Ｘ，Ｙ）およびＤ（Ｘ，Ｙ）を記憶部１２に格納する。
【００４４】
形成指示生成部２５は、さらに形成順の候補（例えばすべての形成順の順列であってもよい）の各々について、当該形成順で形成し、形成順に積み上げて配置した場合に、各記録媒体の辺に隣接する共通形成部分のブロックの各辺を重複を除いて特定する。ここでは説明を簡単にするため、図３に示した各領域のうちＡ，Ｂ，Ｃ，Ｄの４つの領域についての例を説明する。
【００４５】
まず、Ａ，Ｂ，Ｃ，Ｄの順で、これら各領域に含まれる画像を形成し、この順に重ね合わせた場合、図６（ａ）に示すように、Ｄが最も手前側となり、次いでＣ，Ｂ，Ａの順となる。従って、この形成順においては、
（１）ブロックＩのブロックαとブロックＩＶとに隣接する辺、
（２）ブロックＩＩのブロックαとブロックＩＶとに隣接する辺、
（３）ブロックＩＩＩのブロックβに隣接する辺、
（４）ブロックＶのブロックγに隣接する辺、
の各辺が特定される。
【００４６】
また、Ａ，Ｂ，Ｄ，Ｃの順の場合、図６（ｂ）に示すようになり、従って、
（１）ブロックＩのブロックαに隣接する辺、
（２）ブロックＩＩのブロックαとブロックＩＶとに隣接する辺、
（３）ブロックＩＩＩのブロックβとブロックＩＶとに隣接する辺、
（４）ブロックＶのブロックδに隣接する辺、
の各辺が特定される。
【００４７】
以下同様にして、領域の重ね合わせ順列の各々について、各順列が表す順で形成し、その形成順に積み上げて配置した場合に、各記録媒体の辺に隣接するブロックの各辺を特定する。そして、各特定した辺について演算した特徴量情報の総和を、それぞれの順列に関連づけて記憶部１２に格納する。
【００４８】
例えばＡ，Ｂ，Ｃ，Ｄの形成順の場合、
Ｃsum（Ａ，Ｂ，Ｃ，Ｄ）＝Ｃ（Ｉ，α）＋Ｃ（Ｉ，ＩＶ）＋Ｃ（ＩＩ，α）＋Ｃ（ＩＩ，ＩＶ）＋Ｃ（ＩＩＩ，β）＋Ｃ（Ｖ，γ）
および
Ｄsum（Ａ，Ｂ，Ｃ，Ｄ）＝Ｄ（Ｉ，α）＋Ｄ（Ｉ，ＩＶ）＋Ｄ（ＩＩ，α）＋Ｄ（ＩＩ，ＩＶ）＋Ｄ（ＩＩＩ，β）＋Ｄ（Ｖ，γ）を算出する。
【００４９】
形成指示生成部２５は、当該特徴量情報の総和が予め定めた順序選択条件を満足する順列を見出す。そして形成指示生成部２５は、各領域の画像の形成順序を、当該見出した順列によって表される順とする。ここで順序選択条件は、例えばＣsumおよびＤsumがともに「０」に近い値である順列を優先して形成順序として採用する一方、Ｃsumが「０」に近いがＤsumが大きな値である順列は極力採用しないようにする、といった条件が考えられる。一例として、評価関数Ｈ＝α×Ｃsum＋β×Ｄsumを演算し（α、βは正の実数値のパラメータ）、このＨが最大となる順列を、形成順序として決定する。すなわち、ＣsumおよびＤsumがともに「０」に近い値であるということは、ブロックの辺上に有意画素が少ないため、そのような形成順序であれば画像情報のうち有意画素を用いる部分が媒体の境界で分断される箇所が少なく望ましいと考えられる一方で、Ｃsumは「０」に近いがＤsumは大きな値であるということは、有意画素で構成される線分がブロックの辺とほぼ重なっている可能性が高く、一般に望ましくないと考えられる。ただし、上記の順序選択条件は例示にすぎず、別の条件としてもよい。
【００５０】
なお、以上では、Ｃ（Ｉ，α）およびＤ（Ｉ，α）をに算出する実施例を示したが、特徴量情報はこれに限定されるものではない。例えば、Ｅ（Ｉ，α）＝ｍａｘ（｜ＮＩα−ＮαＩ｜，ｍａｘ（ＮＩα，ＮαＩ））［ここで、ｍａｘ（Ｘ，Ｙ）はＸとＹのうち大きい方の値を返す関数］といった特徴量情報を算出し、この総和が最小となるような順列を選択することとしてもよい。
【００５１】
このように、本実施の形態によると、１の記録媒体に収まらない画像情報を、複数の記録媒体に分割して形成する画像処理装置であって、画像情報を分割するときに、記録媒体のサイズに対応する領域を、重複を許して配置し、当該配置した領域に含まれる画像部分に分割する。
【００５２】
また、図７に例示するように、複数の領域で重複している部分（共通して含まれる部分）については、いずれか一つを除いて画像処理を施し、色調や画像を、利用者がその原像を認識できる範囲で変更する。これにより、利用者は、当該共通部分を重ね合わせつつ形成結果の記録媒体を配列するとき、重ね合わせ位置を確認しつつ配列できる。
【００５３】
また、形成順に従って重ね合わせたとき、他の媒体によって隠蔽される共通部分について、上記画像処理を施し、他の媒体によって隠蔽されない共通部分は、原像のままとしておく、つまり、図７の例の場合、Ａ，Ｂの順に形成することで、形成順に並べるだけで元の画像を再現できる。
【図面の簡単な説明】
【００５４】
【図１】本発明の実施の形態に係る画像処理装置の構成及び接続例を表すブロック図である。
【図２】本発明の実施の形態に係る画像処理装置の一例を表す機能ブロック図である。
【図３】本発明の実施の形態に係る画像処理装置による領域分割処理の例を表す説明図である。
【図４】本発明の実施の形態に係る画像処理装置が用いる共通部分設定情報の例を表す説明図である。
【図５】本発明の実施の形態に係る画像処理装置による元の画像の配置例を表す説明図である。
【図６】本発明の実施の形態に係る画像処理装置の形成順を決定する処理に係る説明図である。
【図７】本発明の実施の形態に係る画像処理装置によって形成される画像の例を表す説明図である。
【符号の説明】
【００５５】
１  画像処理装置、２  画像形成装置、１１  制御部、１２  記憶部、１３  インタフェース部、２１  画像情報受入部、２２  領域分割部、２３  部分画像情報生成部、２４  画像変更処理部、２５  形成指示生成部。
【図１】
2008288807.tif 000003
【図２】
2008288807.tif 000004
【図３】
2008288807.tif 000005
【図４】
2008288807.tif 000006
【図５】
2008288807.tif 000007
【図６】
2008288807.tif 000008
【図７】
2008288807.tif 000009